(57)【要約】【課題】  透水性の確保が容易で、目詰まりが発生し難い構造の透水性隔壁を提供する。【解決手段】  外側面１２ａ側からの地下水の取り込みが可能な多孔質の透水部１２とその周囲に形成される構造壁部１３とを備えた透水セグメント１１である。  そして、透水部１２の外側面１２ａが遮水性を有する袋状部材１４によって覆われており、袋状部材１４による被覆を解除するトリガ装置１６が備えられている。【選択図】  図１
2007077598.tif 000002
【特許請求の範囲】
【請求項１】
外側面側からの地下水の取り込みが可能な多孔質の透水部とその周囲に形成される構造壁部とを備えた透水性隔壁であって、
前記透水部の外側面、内側面又は内部面の少なくとも一面が遮水性を有するシート状部材によって覆われており、前記シート状部材による被覆を解除する撤去装置が備えられていることを特徴とする透水性隔壁。
【請求項２】
前記シート状部材は、袋状に形成されるとともに内部に前記透水部を透過可能な充填材が充填されて膨張しており、前記撤去装置として前記シート状部材を破って前記充填材を流出させるトリガ装置が備えられていることを特徴とする請求項１に記載の透水性隔壁。
【請求項３】
前記透水部には前記内側面と前記シート状部材が配設される面とを貫通させる貫通孔が設けられており、その貫通孔の内部には前記トリガ装置として針状部材が前記シート状部材に向けて発射可能に設置されていることを特徴とする請求項２に記載の透水性隔壁。
【請求項４】
前記透水部には前記内側面と前記シート状部材が配設される面とを貫通させる貫通孔が設けられており、前記撤去装置として前記貫通孔に前記シート状部材を引き込む引込装置が備えられていることを特徴とする請求項１乃至３のいずれかに記載の透水性隔壁。
【請求項５】
前記透水部の厚みは前記構造壁部の厚みより薄く形成されており、その厚みの差によって形成される空間に前記シート状部材が配設されることを特徴とする請求項１乃至４のいずれかに記載の透水性隔壁。
【発明の詳細な説明】
【技術分野】
【０００１】
本発明は、外側面側から地下水を取り込むことができる集水トンネルや遮水壁として使用した後に地下水の流れを回復させることが可能な地中連続壁用の透水性隔壁に関するものである。
【背景技術】
【０００２】
従来、地中に滞留した海水や地下水を取水して利用するために構築される集水トンネルが知られている（特許文献１，２等参照）。
【０００３】
この集水トンネルは、円弧状の透水セグメント１を複数組み合わせて円筒形に形成されたトンネルであって、透水セグメント１には外側面側から地下水を取り込むための透水部２と、この透水部２とトンネル内部を連通させる導水管４，４とが設けられている（図７参照）。
【０００４】
この透水部２は、多孔質のポーラスコンクリートで構成されており、トンネル外側面側の地下水が透水部２に浸み込んで導水管４，４を通って集水トンネルの内部に取り込まれる。
【０００５】
一方、このような集水トンネルでは、設置と同時に地下水が透水部２に浸透して導水管４，４を通ってトンネル内部に流れ込むことを防ぐため、図７に示すように導水管４，４の端部に蓋部５，５を取り付け、施工中はトンネル内部に水が流れ込まないように構成されている。
【０００６】
さらに、この蓋部５，５は、いずれは撤去しなければならず、撤去と同時に水がトンネル内部に流れ込むのを防ぐために、図７に示すように生分解性シート６で透水部２の外側面を覆った技術が特許文献２に開示されている。
【０００７】
以上においては集水トンネルについて述べたが、地下構造物を構築する際に土留め及び遮水の目的で構築される地中連続壁は、地下水の流れを分断して地下水の上昇又は低下を引き起こし、浸水、井戸枯れ、地盤沈下などを引き起こす原因となりうるので、使用後に透水性を回復させる機能を設けることが望まれている（特許文献３など参照）。
【特許文献１】特開平１１−３０３１５５号公報
【特許文献２】特開２００３−２６８８１４号公報
【特許文献３】特開平１０−３１７３７０号公報
【発明の開示】
【発明が解決しようとする課題】
【０００８】
しかしながら、前記した透水セグメント１の透水部２を覆う生分解性シート６を分解するバクテリア等の微生物は、海水下や地下深い場所ではほとんど存在しておらず、シートが分解されなければ所望する透水性を確保できないという問題がある。
【０００９】
また、図７に示すように、面状に広がる透水部２で集めた地下水を、点状の導水管４，４に集めて排出させる場合は、導水管４，４を流れる地下水の流速が早くなることで透水部２に土粒子を引き込んで目詰まりを起こす場合がある。
【００１０】
そこで、本発明は、透水性の確保が容易で、目詰まりが発生し難い構造の透水性隔壁を提供することを目的としている。
【課題を解決するための手段】
【００１１】
前記目的を達成するために、本発明は、外側面側からの地下水の取り込みが可能な多孔質の透水部とその周囲に形成される構造壁部とを備えた透水性隔壁であって、前記透水部の外側面、内側面又は内部面の少なくとも一面が遮水性を有するシート状部材によって覆われており、前記シート状部材による被覆を解除する撤去装置が備えられている透水性隔壁であることを特徴とする。
【００１２】
ここで、前記シート状部材は、袋状に形成されるとともに内部に前記透水部を透過可能な充填材が充填されて膨張しており、前記撤去装置として前記シート状部材を破って前記充填材を流出させるトリガ装置が備えられるように構成することができる。
【００１３】
また、前記透水部には前記内側面と前記シート状部材が配設される面とを貫通させる貫通孔が設けられており、その貫通孔の内部には前記トリガ装置として針状部材が前記シート状部材に向けて発射可能に設置されるように構成してもよい。
【００１４】
また、上記したいずれかの発明において、前記透水部には前記内側面と前記シート状部材が配設される面とを貫通させる貫通孔が設けられており、前記撤去装置として前記貫通孔に前記シート状部材を引き込む引込装置が備えられるように構成することができる。
【００１５】
さらに、上記したいずれかの発明において、前記透水部の厚みは前記構造壁部の厚みより薄く形成されており、その厚みの差によって形成される空間に前記シート状部材が配設されるように構成することができる。
【発明の効果】
【００１６】
このように構成された本発明は、地下水を取り込む透水部の少なくとも一面が遮水性を有するシート状部材で覆われるとともに、その被覆を解除する撤去装置が備えられている。
【００１７】
このため、透水性隔壁を構築する際は止水性が確保される一方、構築後には前記撤去装置によって被覆を解除して透水部の透水性を確保することができる。また、構造壁部は透水部の周囲に形成されるだけで透水部を通過する水の流れを阻止することがないので、断面の変化による流速の変化がほとんど生じることがなく目詰まりが発生し難い。
【００１８】
また、シート状部材を袋状に形成し、その内部に充填材を充填して膨張させて透水部を被覆することによって止水性を確保し、その後、トリガ装置によってシート状部材を破って充填材を流出させてシート状部材を収縮させることで、透水部の被覆を解除することができる。
【００１９】
例えば、ゴムのように伸縮率の大きな材料によってシート状部材を形成すれば、このトリガ装置によって簡単に被覆を解除することができる。
【００２０】
また、このトリガ装置は、針状部材がシート状部材に向けて発射されるような簡単な構成にすることができるので、遠隔操作も可能になり、撤去作業の安全性を向上させることができる。
【００２１】
さらに、透水部には貫通孔が設けられ、引込装置によってその貫通孔にシート状部材が引き込まれることによって透水部の被覆が解除されて透水性が確保される。
【００２２】
このようにシート状部材は撓み易いので、引込装置などで貫通孔に取り込むことで容易に止水性を解除することができる。
【００２３】
また、透水部をその周囲に形成される構造壁部よりも薄くして、その厚みの差によって形成される空間にシート状部材を配設することで、構造壁部の外側面又は内側面よりも外方に透水部やシート状部材が突出しない。
【００２４】
このため、推進工法によって集水トンネルを構築する場合のように、地中で透水性隔壁が摺動する場合であっても、シート状部材が引っ掛かって剥がれることがない。
【発明を実施するための最良の形態】
【００２５】
以下、本発明の最良の実施の形態について図面を参照して説明する。
【００２６】
図２は、本実施の形態による透水性隔壁としての透水セグメント１１，・・・を円筒状に組み立てて構築された集水トンネル１０の斜視図を示している。
【００２７】
すなわち図２に示した集水トンネル１０は、４個の透水セグメント１１，・・・によって単位長さの円筒形が構成され、その円筒形が集水トンネル１０の延伸方向に複数接続されたものである。ここで、各単位長さの円筒形の円周方向に現れる４箇所の継ぎ目は、集水トンネル１０の延伸方向に連続しないように位置をずらして配置されている。
【００２８】
さらに、この透水セグメント１１は、ポーラスコンクリートなどの多孔質の材料で構成される透水部１２と、その周囲に形成される構造壁部１３とによって形成される。
【００２９】
この透水部１２のポーラスコンクリートには、例えば比重1.8〜2.0、空隙率15〜25％、透水係数1×10-1cm／sec、曲げ強度2.5Ｎ／mm2以上の特性を有するセメント系混合材料が使用される。
【００３０】
また、この透水部１２は、図１の断面図に示すように、外側面１２ａから内側面１２ｂにかけて略一定の断面積に形成されているので、外側面１２ａ側から取り込まれた地下水の流速が透水部１２の内部で変化することがほとんどなく、周辺地山の砂分及び細粒分が透水部１２に流入しにくい構造になっている。
【００３１】
この透水部１２は、例えば鉄筋コンクリートなどで成形された円弧状の構造壁部１３の直方体状の開口部に、ポーラスコンクリートを設置又は組み込むことによって形成される。
【００３２】
この透水部１２の厚みは、図１に示すようにその周囲に形成される構造壁部１３の壁厚よりも薄く、その外側面１２ａは構造壁部１３の外側面１３ａより窪んで形成されており、透水部１２の内側面１２ｂと構造壁部１３の内側面１３ｂは面一に形成されている。
【００３３】
この透水部１２の窪みに本実施の形態のシート状部材としての袋状部材１４を配設する。
【００３４】
この袋状部材１４は、ゴム、合成樹脂シート、ビニールシート、織布、不織布、紙などの所定の遮水性能を有するシート状部材を袋状に形成したもので、その内部には充填材１５を充填できるようにしておく。
【００３５】
この袋状部材１４に充填される充填材１５には、透水部１２を目詰まりすることなく透過できる水、粘性の低い液体、気体、地下水によって溶解するゲル状物質などが使用される。
【００３６】
本実施の形態では、後述するトリガ装置１６で充填材１５が充填されて膨張した袋状部材１４を破裂させることによって、透水部１２の被覆を解除することになるので、袋状部材１４は伸縮率の大きいゴム等を使用して形成するのが好ましい。
【００３７】
そして、透水部１２には、内側面１２ｂから外側面１２ａに貫通する貫通孔１７を設け、この貫通孔１７に袋状部材１４による外側面１２ａの被覆を解除する撤去装置としてのトリガ装置１６を設置する。
【００３８】
このトリガ装置１６は、貫通孔１７の内部に先鋭部を袋状部材１４に向けて収容された針状部材１６ａと、その針状部材１６ａを発射させる発射装置とから主に構成される。
【００３９】
この発射装置は、貫通孔１７の孔口に架け渡されて透水部１２に固定される取付板１６ｄと、その取付板１６ｄに一端が固定されて針状部材１６ａとの間に介在されるバネ材１６ｃと、針状部材１６ａの底面から垂れ下がって取付板１６ｄの穴（図示せず）を通った連結材１６ｅを把持する把持部１６ｅとから構成される。
【００４０】
この把持部１６ｅは、ワイヤ状の連結材１６ｂの把持、開放が行えるように構成されており、バネ材１６ｃが縮んだ位置で連結材１６ｂを把持させておき、遠隔操作によって把持部１６ｅを開放させると、バネ材１６ｃによって付勢された針状部材１６ａが袋状部材１４に向けて発射される。
【００４１】
次に、集水トンネル１０の構築方法を説明するとともに、この実施の形態の作用について説明する。
【００４２】
まず、立坑（図示せず）内部から地中に向けてシールド掘削機又は掘進機（図示せず）などを発進させて地中に掘削孔を形成し、その内部に透水セグメント１１，・・・を組み立てて、図２に示すような集水トンネル１０を構築する。
【００４３】
この際、透水セグメント１１の透水部１２の外側面１２ａに配設される袋状部材１４は、充填材１５が充填されて膨張し、窪みに嵌った状態になっている。
【００４４】
このように、透水部１２の外側面１２ａが袋状部材１４によって被覆されて露出されない状態であれば、地下水が内側面１２ｂ側に流れ込むことがなく止水性を確保することができる。
【００４５】
そして、すべての透水セグメント１１，・・・の設置が完了した後に、遠隔操作によってトリガ装置１６の把持部１６ｅを開放させると、図１（ｂ）に示すように針状部材１６ａが発射されて袋状部材１４に穴が開き、内部に充填された充填材１５が流れ出す。
【００４６】
この充填材１５は、透水部１２の外側面１２ａから流れ込んで内側面１２ｂ側に排出される。
【００４７】
また、充填材１５が流れ出した袋状部材１４は収縮して小さくなるので、外側面１２ａの隙間の無い被覆が解除されて、地下水が外側面１２ａから流れ込むようになる。
【００４８】
このように本実施の形態の構成によれば、トリガ装置１６の針状部材１６ａによって充填材１５が充填された袋状部材１４を破るだけで、容易に透水部１２の止水構造が解除されて透水性を確保することができる。
【００４９】
また、透水性が確保された透水部１２の透過断面は、外側面１２ａから内側面１２ｂまでほぼ均質に形成されているので、地下水が透水部１２を透過する流速が断面によって変化することがほとんどなく目詰まりが発生し難い。
【００５０】
また、収縮した袋状部材１４は、外側面１２ａ上の地下水の流れによって貫通孔１７に流れ込む可能性が高いので、所望する透水性を確保することができる。
【００５１】
さらに、充填材１５による膨張量を大きくしておけば、充填材１５が流出した後の収縮した袋状部材１４の面積は少なくとも膨張量分は小さくなるので、破れた残骸によって透水部１２が遮蔽される面積を小さくすることができる。
【００５２】
また、袋状部材１４が外側面１２ａ上に残ったとしても、透水部１２を透過する流速が遅くなるだけなので、土粒子が透水部１２に流れ込んで目詰まりし易くなることはない。
【００５３】
また、透水部１２をその周囲に形成される構造壁部１３よりも薄くして、その窪みに袋状部材１４を配設することで、構造壁部１３の外側面１３ａより外方に袋状部材１４が突出しない。
【００５４】
このため、推進工法によって集水トンネル１０を構築する場合のように、地中で透水セグメント１１が摺動する場合であっても、袋状部材１４が引っ掛かって剥がれることがない。
【実施例１】
【００５５】
以下、実施例１について図３を参照しながら説明する。なお、前記実施の形態で説明した内容と同一乃至均等な部分の説明については同一符号を付して説明する。
【００５６】
前記実施の形態では、撤去装置としてトリガ装置１６について説明したが、実施例１では、撤去装置として引込装置２３を使用する場合について説明する。
【００５７】
この実施例１で使用する透水セグメント２１に配設されるシート状部材２２は、袋状に形成されている必要はなく、ゴム、合成樹脂シート、ビニールシート、織布、不織布、紙などの所定の遮水性能を有するものが使用できる。
【００５８】
なお、膨張によって固定させることができないシート状部材２２を透水部１２の外側面１２ａに固定させるために、後述する引込装置２３の引込力によって引き剥がしが可能な程度の弱い接着力で、外側面１２ａにシート状部材２２を接着させておくことができる。
【００５９】
そして、透水部１２には、内側面１２ｂから外側面１２ａに貫通する貫通孔１７を設け、この貫通孔１７にシート状部材２２を引き込む引込装置２３が撤去装置として設けられている。
【００６０】
この引込装置２３は、一端をシート状部材２２に連結させるワイヤ状の連結材２３ａと、貫通孔１７の孔口に架け渡されて透水部１２に固定される取付板２３ｂと、その取付板２３ｂの穴（図示せず）を通った連結材２３ａを巻き取る巻取器２３ｃとから構成される。
【００６１】
この巻取器２３は、遠隔操作でワイヤ状の連結材２３ａを巻き取ることによって、その端部に連結されたシート状部材２２が撓んで貫通孔１７に引き込まれる。
【００６２】
このように構成された実施例１の透水セグメント２１は、止水性を確保するために透水部１２の外側面１２ａを被覆させていたシート状部材２２を、貫通孔１７に引き込むことによって確実に外側面１２ａから撤去することができる。
【００６３】
このため、透水部１２の平面積に相当する透水性を確実に確保することができる。
【００６４】
また、巻取器２３ｃは、容易に遠隔操作が可能になるように構成できるので、潜水作業を伴わず安全に撤去作業をおこなうことができる。
【００６５】
さらに、シート状部材２２を袋状に形成し、その内部に充填材１５を充填しておき、その充填材１５を前記実施の形態で示したようなトリガ装置１６を使って流出させることによって収縮させて引き込みを容易にすることができる。
【００６６】
また、このような引込装置２３を併用する場合は、伸縮率の小さいシート状部材によって袋状部材１４を形成しても確実に透水性を確保することができる。
【００６７】
さらに、前記実施の形態の連結材１６ｂの端部を本実施例１の巻取器２３ｃに連結することで、トリガ装置１６と引込装置２３を一体化した撤去装置とすることもできる。
【００６８】
なお、他の構成及び作用効果については、前記実施の形態と略同様であるので説明を省略する。
【実施例２】
【００６９】
以下、実施例２について図４を参照しながら説明する。なお、前記実施の形態又は実施例１で説明した内容と同一乃至均等な部分の説明については同一符号を付して説明する。
【００７０】
前記実施の形態ではシート状部材として袋状部材１４を使用し、前記実施例１では主に袋状でないシート状部材２２を使用して説明したが、実施例２のシート状部材３２はいずれの形態であってもよく、また、撤去装置も上記したいずれの形態であってもよいので説明を省略する。
【００７１】
この実施例２では、前記実施の形態及び実施例１とは異なる位置にシート状部材３２を配設した、透水性隔壁としての透水セグメント３１について説明する。
【００７２】
この実施例２では、透水部３３とその周囲に形成される構造壁部１３の壁厚が等しく、透水部３３の外側面３３ａ及び内側面３３ｂが構造壁部１３の外側面１３ａ及び内側面１３ｂと面一に形成される。
【００７３】
そして、透水部３３の外側面３３ａの平面積より一回り平面積が大きなシート状部材３２によって外側面３３ａを被覆する。
【００７４】
このように構成された実施例２の透水セグメント３１は、透水部３３と構造壁部１３の境界まで覆うことができるような大きなシート状部材３２によって被覆するので、確実に止水をおこなうことができる。
【００７５】
なお、他の構成及び作用効果については、前記実施の形態又は実施例１と略同様であるので説明を省略する。
【実施例３】
【００７６】
以下、実施例３について図５を参照しながら説明する。なお、前記実施の形態又は実施例で説明した内容と同一乃至均等な部分の説明については同一符号を付して説明する。
【００７７】
この実施例３では、前記実施例２と同様に、シート状部材４２の設置位置を変えた構成について説明する。
【００７８】
この実施例３の透水部４３は、外側透水部４３１と内側透水部４３２が厚さ方向に隙間を開けて形成されており、その隙間にシート状部材４２が配設される。
【００７９】
すなわち、外側透水部４３１の外側面４３ａと構造壁部１３の外側面１３ａとが面一に形成され、内側透水部４３２の内側面４３ｂと構造壁部１３の内側面１３ｂが面一に形成される。
【００８０】
そして、外側透水部４３１の内部面４３ｃと内側透水部４３２の内部面４３ｃとの間にシート状部材４２を介在させて、内部面４３，４３をシート状部材４２で被覆して透水部４３を止水構造とする。
【００８１】
このように構成された実施例３の透水セグメント４１は、透水部４３の内部に遮水用のシート状部材４２が収容されているので、外力によってシート状部材４２が引き剥がされることがなく、確実に止水性を確保することができる。
【００８２】
なお、他の構成及び作用効果については、前記実施の形態又は他の実施例と略同様であるので説明を省略する。
【実施例４】
【００８３】
以下、実施例４について図６を参照しながら説明する。なお、前記実施の形態又は実施例で説明した内容と同一乃至均等な部分の説明については同一符号を付して説明する。
【００８４】
この実施例４で使用するシート状部材５４は袋状であってもなくてもよく、撤去装置も上記したいずれの形態であってもよいので説明を省略する。
【００８５】
この実施例４では、透水性隔壁として地中連続壁５１に本発明を適用した場合について説明する。
【００８６】
この地中連続壁５１は、地下構造物を構築する際に土留め及び遮水の目的で構築されるが、地下水の流れを分断して上流側では地下水を上昇させ、下流側では地下水を低下させる場合がある。
【００８７】
そこで、掘削工事などに使用する場合は止水性を確保し、使用後に地下水を透過させて地下水の流れを回復させることが可能な地中連続壁５１を本発明を適用して構築する。
【００８８】
この地中連続壁５１の構築に使用する鉄筋籠の所定の位置には、ポーラスコンクリートによって成形された透水部５２を設けておくとともに、その外側面５２ａと内側面５２ｂを被覆するシート状部材５４，５４をそれぞれ取り付けておく。
【００８９】
そして、地中に掘削した掘削溝に鉄筋籠を建て込んだ後に、コンクリートを掘削溝に流し込んで地中連続壁５１を完成させる。
【００９０】
このようにして構築された地中連続壁５１は、シート状部材５４と構造壁部５３とによって地下水を遮断して所定の止水性が確保できるとともに、使用後に上記したいずれかの撤去装置でシート状部材５４を撤去することによって所定の透水性を確保することができる。
【００９１】
また、コンクリート打設時には、透水部５２の外側面５２ａ及び内側面５２ｂがシート状部材５４，５４によって被覆されているので、コンクリートが回り込んで目詰まりを起こさせることがない。
【００９２】
なお、この実施例４では、透水部５２の両側にシート部材５４を配設した例について説明したが、これに限定されるものではなく、前記実施の形態のように外側面側にのみシート部材５４を配設したり、実施例３のように透水部の内部にシート部材５４を配設したりする構造とすることができる。
【００９３】
また、その他の構成及び作用効果については、前記実施の形態又は他の実施例と略同様であるので説明を省略する。
【００９４】
以上、図面を参照して、本発明の最良の実施の形態を詳述してきたが、具体的な構成は、この実施の形態に限らず、本発明の要旨を逸脱しない程度の設計的変更は、本発明に含まれる。
【００９５】
例えば、前記実施の形態では、発射装置をバネ材１６ｃを用いて構成したが、これに限定されるものではなく、例えば取付板１６ｄと針状部材１６ａの底面との間に水膨潤性ゴムを介在させ、集水トンネル１０の内部に水を充填することによってその水膨潤性ゴムに水を供給して膨張させて針状部材１６ａを袋状部材１４に向けて移動させてもよい。
【００９６】
また、前記実施の形態では、袋状部材１４の撤去装置として針状部材１６ａを使用したトリガ装置１６について説明したが、これに限定されるものではなく、例えばトリガ装置として起爆剤を使用し、袋状部材１４の内部で爆発させることによって袋状部材１４を破裂させて透水部１２の被覆を解除してもよい。
【００９７】
また、前記した撤去装置としてのトリガ装置１６及び引込装置２３は、遠隔操作が可能に構成されているが、これに限定されるものではなく、人力によって作動する撤去装置を使用することもできる。
【００９８】
さらに、前記実施の形態又は実施例では、構造壁部１３を鉄筋コンクリートで形成したが、これに限定されるものではなく、鋼板や形鋼などを組み合わせて鋼製の壁部を形成することもできる。また、構造壁部１３の開口部の形状も直方体状に限定されるものではない。
【００９９】
また、前記実施の形態又は実施例では、透水部１２，３３，４３，５２をポーラスコンクリートによって構成したが、これに限定されるものではなく、地下水が透過可能な孔を備えた多孔質部材であれば例えば連続気泡部材などであってもよい。
【０１００】
さらに、前記実施の形態及び実施例では、透水性隔壁として複数の透水セグメントを組み合わせて集水トンネル１０の外殻を形成したが、これに限定されるものではなく、管径が小さい場合などは円筒形の透水性推進管を透水性隔壁として使用して集水トンネルを構築することができる。
【図面の簡単な説明】
【０１０１】
【図１】本発明の最良の実施の形態の透水性隔壁の構成を説明する断面図であって、（ａ）は止水性を確保した状態を示した図であり、（ｂ）は透水性を確保した状態を示した図である。
【図２】本発明の最良の実施の形態の集水トンネルの構成を説明する斜視図である。
【図３】実施例１の透水性隔壁の構成を説明する断面図であって、（ａ）は止水性を確保した状態を示した図であり、（ｂ）は透水性を確保した状態を示した図である。
【図４】実施例２のシート状部材の設置位置を説明する断面図である。
【図５】実施例３のシート状部材を透水部の内部に設置した構成を説明する断面図である。
【図６】実施例４のシート状部材を地中連続壁に配設した構成を説明する斜視図である。
【図７】従来の生分解性シートを配置した集水トンネルの構成を説明する断面図である。
【符号の説明】
【０１０２】
１１            透水セグメント（透水性隔壁）
１２            透水部
１２ａ          外側面
１２ｂ          内側面
１３            構造壁部
１４            袋状部材（シート状部材）
１５            充填材
１６            トリガ装置（撤去装置）
１６ａ          針状部材
１７            貫通孔
２１，３１，４１  透水セグメント（透水性隔壁）
２２，３２，４２  シート状部材
２３            引込装置（撤去装置）
３３，４３      透水部
３３ａ，４３ａ  外側面
３３ｂ，４３ｂ  内側面
４３ｃ          内部面
５１            地中連続壁（透水性隔壁）
５２            透水部
５２ａ          外側面
５２ｂ          内側面
５３            構造壁部
５４            シート状部材
【図１】
2007077598.tif 000003
【図２】
2007077598.tif 000004
【図３】
2007077598.tif 000005
【図４】
2007077598.tif 000006
【図５】
2007077598.tif 000007
【図６】
2007077598.tif 000008
【図７】
2007077598.tif 000009